(57)【要約】本発明は、「緊急時（ＩＣＥ）状態」を有する移動端末に関する。緊急時（ＩＣＥ）状態は、適切には「Ｉ」、「Ｃ」、「Ｅ」（ほとんどの電話において「４」、「２」、「３」に対応する）である予め規定されたコードを押下し、次いで、例えば「送信」、「受信」、又は「通話」キーのような追加のボタンを押下することによって、達成することができる。このアクションは、現在の緊急用番号処理と同様に、「キーロック」、「電話ロック」、及び「ＰＩＮコード」の使用等よりも優先される。このアクションによって、移動電話上又は他の適切なアクションにＩＣＥ連絡先情報が表示される。ＩＣＥ連絡先情報記憶装置において２つ以上の連絡先が利用可能である場合、代替的なＩＣＥ連絡先リストを表示することができる。また、本発明は、対応する方法及びこの方法を実施するコンピュータプログラム製品に関する。【選択図】  図３
2011504333.tif 000002
【特許請求の範囲】
【請求項１】
移動端末（１１）であって、
前記端末の動作を制御するための制御ユニット（１４）と、
ユーザから前記制御ユニットへのコマンドを受信するため、及び、情報を表示するためのインタフェースユニット（１２）（ＭＭＩ）と、
連絡先情報を記憶することができるメモリユニット（１５）と、を含み、
前記制御ユニット（１４）が、前記インタフェースユニット（１２）を介して、「緊急時」情報に関連する予め規定されたＩＣＥコードを受信するように、更に、前記ＩＣＥコードに応答して、前記移動端末（１１）を緊急時（ＩＣＥ）状態に入らせるように、適合されていることを特徴とする、移動端末。
【請求項２】
前記移動端末（１１）が、加入者アイデンティティモジュール（１６）を用いて動作するように適合され、加入者アイデンティティモジュールが接続されていない場合には、少なくとも前記移動端末（１１）を前記緊急時（ＩＣＥ）状態に入らせるための前記動作を除いて、前記移動端末（１１）の実質的に全ての動作が阻止されるようになっている、請求項１に記載の移動端末。
【請求項３】
前記移動端末（１１）が、前記加入者アイデンティティモジュール（１６）又は前記移動端末（１１）に関連付けられた予め規定されたロックコードを受信するように適合され、ロックコードが正しく入力されない場合には、少なくとも前記移動端末を前記緊急時（ＩＣＥ）状態に入らせるための前記動作を除いて、前記移動端末（１１）の実質的に全ての動作が阻止されるようになっている、請求項１又は２に記載の移動端末。
【請求項４】
前記移動端末（１１）が、前記加入者アイデンティティモジュール（１６）又は前記移動端末（１１）に関連付けられた公衆地上移動通信網（ＰＬＭＮ）に登録するように適合され、前記公衆地上移動通信網への前記登録が完了していない場合には、少なくとも前記移動端末を前記緊急時（ＩＣＥ）状態に入らせるための前記動作を除いて、前記移動端末の実質的に全ての動作が阻止されるようになっている、前出の請求項のいずれか１項に記載の移動端末。
【請求項５】
前記メモリユニット（１５）が、緊急用の電話番号も含む「緊急時」情報を記憶するように構成され、前記移動端末（１１）が、前記予め規定されたＩＣＥコードを受信した後、前記移動端末に利用可能な全ての公衆地上移動通信網のいずれか１つを用いて、「緊急時」情報電話番号に電話するための通信動作の阻止を解除するように更に適合されている、請求項４に記載の移動端末。
【請求項６】
前記移動電話（１１）のアクセス手順の間にいずれかの状態において故障状況が発生した場合には、前記移動電話の実質的に全ての動作が阻止され、前記制御ユニット（１４）が、前記予め規定されたＩＣＥコードを受信した後、少なくとも前記移動端末（１１）を緊急時（ＩＣＥ）状態に入らせるための動作の阻止を解除するように適合されている、請求項１に記載の移動端末。
【請求項７】
前記制御ユニット（１４）が、ユーザコマンドによって又は自動的に、実質的に前記インタフェースユニット（１２）全体をロックするように適合され、前記ロック解除動作を除いて、更に少なくとも前記移動端末を前記緊急時（ＩＣＥ）状態に入らせるための前記動作を除いて、前記インタフェースユニット（１２）の実質的に全てのユーザ動作が阻止されるようになっている、前出の請求項のいずれか１項に記載の移動端末。
【請求項８】
前記制御ユニット（１４）が、前記緊急時（ＩＣＥ）状態において、前記インタフェースユニット（１２）に「緊急時」情報を提示させるように適合されている、前出の請求項のいずれか１項に記載の移動端末。
【請求項９】
前記「緊急時」情報が代替的な連絡先のリストを含む、請求項８に記載の移動端末。
【請求項１０】
前記予め規定されたＩＣＥコードが、文字「Ｉ」、「Ｃ」、「Ｅ」に関連付けられたボタンを含む、前出の請求項のいずれか１項に記載の移動端末。
【請求項１１】
前記移動端末（１１）が、前記ＩＣＥ情報の表示の禁止を可能とするように適合されている、前出の請求項のいずれか１項に記載の移動端末。
【請求項１２】
移動端末（１１）における方法であって、
前記端末の動作を制御するための制御ユニット（１４）と、
ユーザから前記制御ユニットへのコマンドを受信するため、及び、情報を表示するためのインタフェースユニット（１２）（ＭＭＩ）と、
連絡先情報を記憶することができるメモリユニット（１５）と、を含み、
「緊急時」情報に関連した予め規定されたＩＣＥコードを受信することと、前記ＩＣＥコードに応答して、前記移動端末（１１）を緊急時（ＩＣＥ）状態に入らせることと、を特徴とする、方法。
【請求項１３】
前記移動端末（１１）が、加入者アイデンティティモジュール（１６）を用いて動作するように適合され、加入者アイデンティティモジュールが接続されていない場合には、少なくとも前記移動端末（１１）を前記緊急時（ＩＣＥ）状態に入らせるための前記動作を除いて、前記移動端末（１１）の実質的に全ての動作が阻止されるようになっている、請求項１２に記載の方法。
【請求項１４】
前記移動端末（１１）が、前記加入者アイデンティティモジュール（１６）又は前記移動端末（１１）に関連付けられた予め規定されたロックコードを受信するように適合され、ロックコードが正しく入力されない場合には、少なくとも前記移動端末を前記緊急時（ＩＣＥ）状態に入らせるための前記動作を除いて、前記移動端末（１１）の実質的に全ての動作が阻止されるようになっている、請求項１２又は１３に記載の方法。
【請求項１５】
前記移動端末（１１）が、前記加入者アイデンティティモジュール（１６）又は前記移動端末（１１）に関連付けられた公衆地上移動通信網（ＰＬＭＮ）に登録するように適合され、前記公衆地上移動通信網への前記登録が完了していない場合には、少なくとも前記移動端末を前記緊急時（ＩＣＥ）状態に入らせるための前記動作を除いて、前記移動端末の実質的に全ての動作が阻止されるようになっている、請求項１２から１４のいずれか１項に記載の方法。
【請求項１６】
前記メモリユニット（１５）が、緊急用の電話番号も含む「緊急時」情報を記憶するように構成され、前記移動端末（１１）が、前記予め規定されたＩＣＥコードを受信した後、前記移動端末に利用可能な全ての公衆地上移動通信網のいずれか１つを用いて、「緊急時」情報電話番号に電話するための通信動作の阻止を解除する、請求項１５に記載の方法。
【請求項１７】
前記移動電話（１１）のアクセス手順の間にいずれかの状態において故障状況が発生した場合には、前記移動電話の実質的に全ての動作が阻止され、前記制御ユニット（１４）が、前記予め規定されたＩＣＥコードを受信した後、少なくとも前記移動端末（１１）を緊急時（ＩＣＥ）状態に入らせるための動作の阻止を解除する、請求項１２に記載の方法。
【請求項１８】
前記制御ユニット（１４）が、ユーザコマンドによって又は自動的に、実質的に前記インタフェースユニット（１２）全体をロックするように適合され、前記ロック解除動作を除いて、更に少なくとも前記移動端末を前記緊急時（ＩＣＥ）状態に入らせるための前記動作を除いて、前記インタフェースユニット（１２）の実質的に全てのユーザ動作が阻止されるようになっている、請求項１２から１７のいずれか１項に記載の方法。
【請求項１９】
前記制御ユニット（１４）が、前記緊急時（ＩＣＥ）状態において、前記インタフェースユニット（１２）に「緊急時」情報を提示させる、請求項１２から１８のいずれか１項に記載の方法。
【請求項２０】
前記予め規定されたＩＣＥコードが、文字「Ｉ」、「Ｃ」、「Ｅ」に関連付けられたボタンを含む、前出の請求項のいずれか１項に記載の方法。
【請求項２１】
移動端末（１１）を請求項１から１１のいずれか１項に従って構成するように適合されたプログラムコード手段を含むコンピュータプログラム製品。
【請求項２２】
移動端末（１１）に請求項１２から２０のいずれか１項に従った方法のステップを実行させるように適合されたプログラムコード手段を含むコンピュータプログラム製品。
【発明の詳細な説明】
【技術分野】
【０００１】
技術分野
本発明は、「緊急時（ＩＣＥ：in case of emergency）状態」を有する移動端末に関する。更に具体的には、本発明は、様々なロックフィーチャ（lock features）によって阻止されることなく簡単な方法でＩＣＥ状態に入るためのＩＣＥコードを受信するように適合されたマン−マシンインタフェース（ＭＭＩ）を有する移動端末に関する。また、本発明は、対応する方法及びこの方法を実施するコンピュータプログラム製品に関する。
【背景技術】
【０００２】
背景
緊急の状況において、救助サービスに連絡するための最も一般的な方法は、移動電話によるものである。また、被害者は通常、移動電話を持っている。このため、いわゆる緊急時情報すなわち「ＩＣＥ」情報を電話に記憶することが推奨される。ＩＣＥ情報は、ある人の最も近い家族、親戚、又は他の緊急連絡先（複数の連絡先）のための連絡情報である。この情報は、医療補助者、消防士、及び警察官等の「最初の応答者」によって用いられ、被害者の身元を確認し、重要な医療情報等を取得するために役立てることができる。
【０００３】
今日、ＩＣＥ情報は、典型的には加入者によって移動電話の電話帳に記すことができ、又は、他の独自の移動電話に依存した方法で扱うことができる。標準化された解決策は利用可能でなく、「キーロック」、「電話ロック」、及び「ＰＩＮコード」の使用等の他の移動電話のフィーチャによって、「最初の応答者」がＩＣＥ情報にアクセスすることが難しくなることや、不可能になることさえある。
【０００４】
一方、移動電話のＭＭＩは、緊急用の番号（電話に予め記憶されている）に簡単にダイヤルすることによって、緊急の通話をサポートしなければならない。正確な緊急用番号にダイヤルすることは、ロックフィーチャよりも優先され、また、他の場合には禁じられたネットワークに入ることによって通話を行うことを可能とする。
【０００５】
先行技術
技術的な参照として、ＷＯ２００７／１２９１４０号で公開された国際特許出願は、キーロック機能を有する移動電話を開示する。
【発明の概要】
【０００６】
発明の概要
移動端末において様々なロックフィーチャによって阻止されることなく簡単な方法でＩＣＥ状態に入ることを可能とする設計が必要とされている。
【０００７】
第１の態様においては、本発明は、移動端末を提供する。この移動端末は、
端末の動作を制御するための制御ユニットと、
ユーザから制御ユニットへのコマンドを受信するため、及び、情報を表示するためのインタフェースユニット（ＭＭＩ）と、
連絡先情報を記憶することができるメモリユニット（１５）と、
を含む。
【０００８】
本発明の方法によれば、制御ユニットは、インタフェースユニットを介して、「緊急時」情報に関連した予め規定されたＩＣＥコードを受信するように、更に、前記ＩＣＥコードに応答して、移動端末を緊急時（ＩＣＥ）状態に入らせるように適合されている。
【０００９】
一実施形態においては、移動端末は、加入者アイデンティティモジュールを用いて動作するように適合され、加入者アイデンティティモジュールが接続されていない場合には、少なくとも移動端末を緊急時（ＩＣＥ）状態に入らせるための動作を除いて、移動端末の実質的に全ての動作が阻止されるようになっている。
【００１０】
更に別の実施形態においては、移動端末は、加入者アイデンティティモジュール又は移動端末に関連付けられた予め規定されたロックコードを受信するように適合され、ロックコードが正しく入力されない場合には、少なくとも移動端末を緊急時（ＩＣＥ）状態に入らせるための動作を除いて、移動端末の実質的に全ての動作が阻止されるようになっている。
【００１１】
更に別の実施形態においては、移動端末は、加入者アイデンティティモジュール又は移動端末に関連付けられた公衆地上移動通信網（ＰＬＭＮ: Public land mobile network）に登録するように適合され、公衆地上移動通信網への登録が完了していない場合には、少なくとも移動端末を緊急時（ＩＣＥ）状態に入らせるための動作を除いて、移動端末の実質的に全ての動作が阻止されるようになっている。
【００１２】
更に別の実施形態においては、メモリユニットが、緊急用の電話番号も含む「緊急時」情報を記憶するように構成され、移動端末が、予め規定されたＩＣＥコードを受信した後、移動端末に利用可能な全ての公衆地上移動通信網のいずれか１つを用いて、「緊急時」情報電話番号に電話するための通信動作の阻止を解除するように更に適合されている。
【００１３】
更に別の実施形態においては、移動電話のアクセス手順の間にいずれかの状態において故障状況が発生した場合には、移動電話の実質的に全ての動作が阻止され、制御ユニットは、予め規定されたＩＣＥコードを受信した後、少なくとも移動端末を緊急時（ＩＣＥ）状態に入らせるための動作の阻止を解除するように適合されている。
【００１４】
更に別の実施形態においては、制御ユニットは、ユーザコマンドによって又は自動的に、実質的にインタフェースユニット全体をロックするように適合され、ロック解除動作を除いて、更に少なくとも移動端末を緊急時（ＩＣＥ）状態に入らせるための動作を除いて、インタフェースユニットの実質的に全てのユーザ動作が阻止されるようになっている。
【００１５】
更に別の実施形態においては、制御ユニットは、緊急時（ＩＣＥ）状態において、インタフェースユニットに「緊急時」情報を提示させるように適合されている。
【００１６】
更に別の実施形態においては、「緊急時」情報は、代替的な連絡先のリストを含む。
【００１７】
更に別の実施形態においては、予め規定されたＩＣＥコードは、文字「Ｉ」、「Ｃ」、「Ｅ」に関連付けられたボタンを含む。
【００１８】
更に別の実施形態においては、移動端末は、ＩＣＥ情報の表示の禁止を可能とするように適合されている。
【００１９】
第２の態様において、本発明は、かかる移動端末におけるデバイス、方法を提供する。この方法は、
「緊急時」情報に関連した予め規定されたＩＣＥコードを受信することと、前記ＩＣＥコードに応答して、移動端末を緊急時（ＩＣＥ）状態に入らせることと、を含む。
【００２０】
一実施形態においては、移動端末は、加入者アイデンティティモジュールを用いて動作するように適合され、加入者アイデンティティモジュールが接続されていない場合には、少なくとも移動端末を緊急時（ＩＣＥ）状態に入らせるための動作を除いて、移動端末の実質的に全ての動作が阻止されるようになっている。
【００２１】
更に別の実施形態においては、移動端末は、加入者アイデンティティモジュール又は移動端末に関連付けられた予め規定されたロックコードを受信するように適合され、ロックコードが正しく入力されない場合には、少なくとも移動端末を緊急時（ＩＣＥ）状態に入らせるための動作を除いて、移動端末の実質的に全ての動作が阻止されるようになっている。
【００２２】
更に別の実施形態においては、移動端末は、加入者アイデンティティモジュール又は移動端末に関連付けられた公衆地上移動通信網（ＰＬＭＮ）に登録するように適合され、公衆地上移動通信網への登録が完了していない場合には、少なくとも移動端末を緊急時（ＩＣＥ）状態に入らせるための動作を除いて、移動端末の実質的に全ての動作が阻止されるようになっている。
【００２３】
更に別の実施形態においては、メモリユニットは、緊急用の電話番号も含む「緊急時」情報を記憶するように構成され、移動端末は、予め規定されたＩＣＥコードを受信した後、移動端末に利用可能な全ての公衆地上移動通信網のいずれか１つを用いて、「緊急時」情報電話番号に電話するための通信動作の阻止を解除する。
【００２４】
更に別の実施形態においては、移動電話のアクセス手順の間にいずれかの状態において故障状況が発生した場合には、移動電話の実質的に全ての動作が阻止され、制御ユニットが、予め規定されたＩＣＥコードを受信した後、少なくとも移動端末を緊急時（ＩＣＥ）状態に入らせるための動作の阻止を解除する。
【００２５】
更に別の実施形態においては、制御ユニットは、ユーザコマンドによって又は自動的に、実質的にインタフェースユニット全体をロックするように適合され、ロック解除動作を除いて、更に少なくとも移動端末を緊急時（ＩＣＥ）状態に入らせるための動作を除いて、インタフェースユニットの実質的に全てのユーザ動作が阻止されるようになっている。
【００２６】
更に別の実施形態においては、制御ユニットは、緊急時（ＩＣＥ）状態において、インタフェースユニットに「緊急時」情報を提示させる。
【００２７】
第３の態様においては、本発明は、プログラムコード手段を含むコンピュータプログラム製品を提供し、このプログラムコード手段は、移動端末を上述したように構成するように、又は上述したようなステップを実行するように適合されている。
【００２８】
このため、単に予め規定されたコードを入力することによって、どんな人でも、様々なロックがアクティブになっている場合にはそれらよりも優先して緊急時（ＩＣＥ）状態に入ることができる。迅速にＩＣＥ情報を提示することができ、又は、元来のユーザもしくは加入者によって設定されたように他のアクションを可能とすることができる。
【００２９】
本発明は、請求項１、１２、２１、及び２２に規定され、好適な実施形態は、従属クレームにおいて述べられる。
【００３０】
これより、本発明の実施形態について、添付図面に関連付けて更に詳細に説明する。
【図面の簡単な説明】
【００３１】
図面の簡単な説明
【図１】図１は、本発明の一実施形態に従ったデバイスの概略ブロック図である。
【図２】図２は、移動端末アクセス手順のためのミーリーグラフである。
【図３】図３は、緊急時アクセス手順のためのミーリーグラフである。
【発明を実施するための形態】
【００３２】
好適な実施形態の詳細な説明
例えば通信デバイス、移動局、ユーザ端末、又は単に（移動）電話とも称する移動電話を参照して、本発明について説明する。
【００３３】
図１は、本発明の一実施形態に従った、移動端末等のデバイス１１を概略的に示す。本発明に関連する部分のみが略図で示されており、他のコンポーネントは従来のものとすることができる。デバイス１１には、ＭＭＩすなわちマン／マシン又はユーザインタフェース１２が備えられ、これは、ユーザとのインタラクションのための、キーパッド、音声入力デバイス、データ端末機器、ＤＴＥ、又は他のインタフェース手段、及びディスプレイ、及び／又はタッチスクリーン、ならびに通信ポート（図示せず）を含む。
【００３４】
通信インタフェース１３は、移動端末の通信部分を処理し、無線ユニット、音響処理ユニット、ならびにスピーカ及びマイクロフォンが備えられている。
【００３５】
制御ユニット１４には、プロセッサ能力が備えられている。制御ユニット１４は、コードを実行し、移動端末１１の機能の制御を処理するために必要な計算を行う。
【００３６】
様々な種類の１つ以上のメモリユニットを含むことができるメモリ１５は、プログラムコード及び連絡先情報等のユーザデータを記憶するために設けられている。
【００３７】
典型的に電話の加入者／所有者であり、ＩＣＥ情報の表示及び使用を可能とすることを望む通常のユーザは、まず、それを移動端末すなわちメモリ１５に記憶しなければならない。ＩＣＥ情報は、移動電話の電話帳に記すことができ、又は、ＭＭＩ１２を用いて他の独自の移動電話に依存した方法で記憶することができる。好ましくは、これは、利用可能な場合、加入者アイデンティティモジュールすなわちＳＩＭ又はＵＳＩＭに記憶される。
【００３８】
本発明の実施形態によれば、移動端末はＩＣＥ情報を検索し用いるように構成されている。動作は、移動端末の状態に依存するものとすることができる。
【００３９】
図２は、アクセス手順の間の移動端末の様々な状態を示す。本発明の実施形態によれば、ＩＣＥ状態を数えないと７つの状態が存在する。
【００４０】
１）  ＭＳ−ＯＦＦ（ＭＳオフ）：  移動端末（ＭＳ）がオフ状況にある。これは、公衆地上移動通信網すなわちＰＬＭＮ（public land mobile network）において、機器が移動端末としてアクティブでないことを意味する。
２）  ＷＡＩＴ（待機）：  移動端末の種類及びＰＬＭＮに関連する移動端末アクセス状況の完了を待っている。移動端末においてローミング中である（例えば位置の更新）。
３）  ＥＮＴＥＲ  ＣＡＲＤ（カード装填）：  加入者カードの装填の要求（例えば内蔵の加入者アイデンティティモジュールすなわちＳＩＭ又はＵＳＩＭが利用可能でない場合）。
４）  ＥＮＴＥＲ  ＰＩＮ（ＰＩＮ入力）：  典型的に加入者アイデンティティモジュールに関連付けられた正しい個人識別番号すなわちＰＩＮの入力の要求。また、移動端末は、ユーザ入力を必要とする他の方法でロックすることも可能である。例えば、自動的にもしくは手作業で活性化されて特定のキーの組み合わせによって不活性化することができる従来のキーロック機能、又は、異なる加入者アイデンティティモジュール等による使用を防止する電話ロック等である。
５）  ＦＡＩＬＵＲＥ  ＴＲＥＡＴＭＥＮＴ（故障処理）：  実際の故障状況の除去を待っている。
６）  ＥＮＴＥＲ  ＰＬＭＮ（ＰＬＭＮ入力）：  ＰＬＭＮの選択及びＰＬＭＮへの登録の要求。
７）  ＳＥＲＶ−ＡＶ：  移動端末は作動可能状態にある。ユーザにはＰＬＭＮサービスが利用可能である。
【００４１】
移動端末アクセス状態間の遷移の説明
ＯＮ：  ＰＬＭＮにおいて機器は移動端末としてアクティブになる。
ＲＥＱ：  ユーザアクティビティの要求。
ＩＯＣ：  ＳＩＭ／ＵＳＩＭモジュールによる加入者カードの挿入。
ＣＯＭＰＬＥＴＥ：  ＰＩＮが入力された。
ＥＮＴＥＲＥＤ：  ＰＬＭＮ選択及び登録が行われた。
ＦＡＩＬＵＲＥ：  移動端末アクセス手順の間にいずれかの他の状態において故障状況が発生した。
ＣＯＮＤＩＴＩＯＮＡＬ：  ＷＡＩＴ状態において移動端末が待っている状況の１つが失われた。移動端末はＷＡＩＴ状態に戻る。
「ＤＯＮＥ」：  移動端末アクセス故障状況が補正された。
ＯＫ：  ＷＡＩＴ状態において移動端末が待っている全ての状況が達成された。
【００４２】
本発明の一実施形態では、移動電話においてＩＣＥ情報にアクセスするためのＭＭＩは、現在の緊急用番号処理と並行するように構成されている。例えば、キーパッド上でキー「Ｉ」、「Ｃ」、「Ｅ」（１２の英数字キーを有するほとんどの電話において「４」、「２」、「３」に対応する）を押下する等の所定の番号シーケンス又はコードを入力し、次いで、例えば「送信」、「受信」、又は「通話」キー等の追加のボタンを押下することによって、ＩＣＥ情報を得ることができる。次いで、移動電話は緊急時（ＩＣＥ）状態に入り、ＩＣＥ連絡先情報の表示又は他のアクションを可能とする。ＩＣＥ連絡先情報記憶装置において２つ以上の連絡先が利用可能である場合には、代替的なＩＣＥ連絡先リストを与えなければならない。
【００４３】
上述のようにシーケンスに入った後、おそらくは「送信」、「受信」、又は「通話」キーが押下された（更に放された）後に、ＩＣＥ連絡先情報が表示される。移動電話におけるＩＣＥ連絡先情報記憶装置で２つ以上の連絡先が利用可能である場合には、代替的なＩＣＥ連絡先リストを表示することができ、それらのうち１つを選択する可能性が与えられなければならない。一般的にはＳＩＭ又はＵＳＩＭである汎用ＩＣカードすなわちＵＩＣＣ等の有効な加入者アイデンティティモジュールが電話に存在する場合、適切な方法で（例えば音声通話によって）（選択した）人／組織に連絡することが可能となる。  
【００４４】
このため、図２のグラフは、以下のように、図３のグラフによって完成する。
【００４５】
８）緊急時（ＩＣＥ）  所定のコードが入力されると（＊＊＊として示す）、移動電話はロック解除され、ＩＣＥ情報の表示が阻止されない限りＩＣＥ情報が利用可能となる。電話の設定に対してアクセスを有する加入者又は他のユーザは、ＩＣＥ情報の表示を阻止することを決定することも可能である。移動端末が前の状態においてロックされている場合は、ＩＣＥ情報のみが利用可能となる。
【００４６】
ＩＣＥロック解除：  所定のコードが入力されると、加入者がＩＣＥ情報の表示の阻止を決定していない限り、移動端末は緊急時（ＩＣＥ）状態に入る。
「終了」キー：  移動端末はＷＡＩＴ状態に戻る。
【００４７】
従来のように、状態１（オフ）を除いた全ての状態で緊急電話が可能である。電話に予め記憶された緊急用の番号に単にダイヤルすることによって、加入者アイデンティティモジュールなしでも、挿入された加入者アイデンティティモジュールに関連付けられたＰＬＭＮの外部においても、通話が可能となる。
【００４８】
代替的な実施形態においては、通話の選択（緊急用番号）の他に、ＩＣＥ情報の表示の選択がＭＭＩ１２に提示される。第１の実施形態におけるように、有効な加入者アイデンティティモジュールＳＩＭ／ＵＩＣＣが電話に存在する場合、適切な方法で（例えば音声通話によって）（選択した）人／組織に連絡を取ることが可能となる。
【００４９】
更に代替的な実施形態においては、ＩＣＥ情報番号を隠された方法で（母電話番号＊＊＊＊）提示する。これは、選択してダイヤルすることができるが、明確に読み取ることはできない。
【００５０】
更に代替的な実施形態では、ＩＣＥ情報は表示されず、ＩＣＥ情報に含まれた連絡先に電話をかける等の、何らかの他のアクションが取られる。
【００５１】
また、本発明は、コンピュータプログラム製品において、換言すると、デバイスにあるか、又は媒体上もしくはメモリ内に記憶されてデバイスに挿入することが意図されたデータエンティティにおいて、明白に示される。従って、別の態様によれば、コンピュータプログラムは、プログラムコード手段を含み、これは、コンピュータプログラムが移動電話上で実行された場合に、上述の方法のステップを実行するように移動電話を構成するように適合されている。
【００５２】
本明細書において記載したデバイスは、いくつかの別個の要素を含むハードウェアによって、及び／又は、部分的に又は全体的に、適切にプログラムされたマイクロプロセッサによって、実施することができる。いくつかの手段を列挙したデバイスの請求項において、これらの手段のいくつかは、例えば適切にプログラムされたマイクロプロセッサ、１つ以上のデジタル信号プロセッサ等、ハードウェアの同一のアイテムによって具現化することができる。いくつかの方策が、相互に異なる従属クレームにおいて挙げられ、又は異なる実施形態において記載されているという単なる事実によって、利益を得るためにこれらの方策の組み合わせの使用が不可能であるということが示されるわけではない。
【００５３】
本明細書において用いる場合、「含む／含んでいる（comprises/comprising）」という言葉は、記載するフィーチャ、整数、ステップ、又はコンポーネントの存在を明示するために用いられるが、１つ以上の他のフィーチャ、整数、ステップ、コンポーネント、又はそれらのグループの存在又は追加を排除するものではないことを強調しておく。
【００５４】
特定の実施形態の前述の説明は、当業者が本発明を生成し使用することを可能とするために与えられる。当業者には、これらの実施形態に対する様々な変更は明らかであり、本発明の範囲から逸脱することなく、本明細書において規定した一般的な原理を他の実施形態に適用することができる。本発明は、本明細書に示した実施形態に限定されることを意図しておらず、特許請求の範囲によってのみ限定される。
【図１】
2011504333.tif 000003
【図２】
2011504333.tif 000004
【図３】
2011504333.tif 000005
【国際調査報告】
2011504333.tif 000006
2011504333.tif 000007
2011504333.tif 000008